(57)【要約】【課題】花粉や埃などの室内の塵や臭気を集中的に捕集しようとするときに十分な捕集効果が得られる空気清浄機を提供する。【解決手段】空気清浄機１０１は、室内の空気を吸い込み清浄化して室内へ吹き出す空気清浄機であって、空気を吸い込んで吹き出す送風機と、室内の空気を吸い込むための吸い込み開口１１３〜１１６と、揺動パネル１２３と、制御装置とを備えている。開口１１６の開口面積は、可変である。揺動パネル１２３は、移動して開口１１６の面積を変える。制御装置は、スーパーハイパワーモードにおいて、開口１１６の面積の増加に合わせて送風機の出力を増やす。【選択図】        図８
2005016841.tif 000002
【特許請求の範囲】
【請求項１】
室内の空気を吸い込み清浄化して室内へ吹き出す空気清浄機であって、
空気を吸い込んで吹き出すための送風機（３０）と、
面積が可変である吸い込み開口（１３〜１５，１１３〜１１６）と、
移動して前記吸い込み開口の面積を変える移動部材（２２，１２３）と、
前記送風機の出力を増減させる制御部（５０，１５０）と、
を備え、
前記制御部は、前記吸い込み開口の面積の増加に合わせて前記送風機の出力を増やす風量増加制御（９６，１９６）を行う、
空気清浄機。
【請求項２】
前記移動部材（１２３）の移動を検知する検知部（１６９）をさらに備え、
前記制御部（１５０）は、前記風量増加制御（１９６）において、前記検知部の検知結果に基づき前記送風機の出力を増やす、
請求項１に記載の空気清浄機。
【請求項３】
所定の制御信号に基づき前記移動部材を移動させて前記吸い込み開口（１５）の面積を増やす駆動装置（２６）をさらに備え、
前記制御部（５０）は、前記風量増加制御（９６）において、前記制御信号あるいは前記駆動装置の作動に基づき前記送風機の出力を増やす、
請求項１に記載の空気清浄機。
【請求項４】
前記吸い込み開口から吸い込んだ空気に含まれる粒子を帯電させてフィルタ（４３）で捕集する電気集塵部（４２，４３）をさらに備えた、
請求項１から３のいずれかに記載の空気清浄機。
【請求項５】
前記吸い込み開口（１３〜１５）のうち面積が可変である可変部分（１５）は、正面側に設けられる、
請求項１から４のいずれかに記載の空気清浄機。
【請求項６】
前記吸い込み開口（１１３〜１１６）のうち面積が可変である可変部分（１１６）は、下部に設けられる、
請求項１から４のいずれかに記載の空気清浄機。
【請求項７】
前記制御部は、前記風量増加制御において、前記吸い込み開口の面積を増加させない場合の前記送風機の最高出力又はそれ以上の出力で、前記送風機を作動させる、
請求項１から６のいずれかに記載の空気清浄機。
【請求項８】
前記制御部は、前記風量増加制御において、前記吸い込み開口の面積が縮小すると前記送風機の出力を元に戻す、
請求項１から７のいずれかに記載の空気清浄機。
【請求項９】
前記制御部は、前記風量増加制御において、前記風量増加制御の開始から所定時間が経過すると前記送風機の出力を元に戻す、
請求項１から７のいずれかに記載の空気清浄機。
【請求項１０】
前記移動部材（２２，１２３）は、正面側に設けられ、前後に移動することで前記吸い込み開口の面積を変える、
請求項１から９のいずれかに記載の空気清浄機。
【発明の詳細な説明】
【０００１】
【発明の属する技術分野】
本発明は、空気清浄機、特に、送風機を作動させて吸い込み開口から室内の空気を吸い込み、それを清浄化して室内へ吹き出す空気清浄機に関する。
【０００２】
【従来の技術】
室内には、ハウスダストや花粉などの粉塵や、タバコやペットなどから生じる臭気が存在する。このような粉塵や臭気を取り除いて室内の空気を心地よいものにするため、近年、種々の空気清浄機が提案されている。
【０００３】
特許文献１に開示されている空気清浄機では、タバコの煙や花粉などを急速に捕集しようとする場合に、送風機のモータ回転数を上げると風切り音が発生して騒音（運転音）に悩まされる恐れがあるとして、室内空気を急速に吸い込ませるために吸い込み開口の開口面積を略半分に絞って吸い込み速度を速くする技術を採用している。そして、このようにすれば、送風機のモータ回転数を上げるわけではないため、風切り音などの騒音は発生しないとしている。
【０００４】
特許文献２に開示されている空気清浄機では、タバコの煙などのように局所から発生するものを吸引するための局所対応モードが用意されている。そして、通常のモードでは吸い込み開口をいわゆる全開状態とするのに対し、局所対応モードでは吸い込み開口を小開状態とする。これにより、局所対応モードでは、開口面積が小さくなった分だけ全開状態に比べて吸い込み速度が大きくなって、吸い込み開口の近傍の空気を急速に吸い込むことができるとしている。
【０００５】
【特許文献１】
特開２０００−１４６２３７号公報
【０００６】
【特許文献２】
特開２００２−３２３２４３号公報
【０００７】
【発明が解決しようとする課題】
上記のように、タバコの煙や花粉などを急速に捕集する目的で吸い込み開口の開口面積を小さくすることが提案されているが、本願発明の発明者が種々の検討を行ったところ、吸い込み開口の開口面積を小さくすることでは十分な効果が得られないことが多いということが判明した。
【０００８】
本発明の課題は、花粉や埃などの室内の塵や臭気を集中的に捕集しようとするときに十分な捕集効果が得られる空気清浄機を提供することにある。
【０００９】
【課題を解決するための手段】
本願発明の発明者の検討により、モータ回転数を一定としたときに吸い込み開口の開口面積を小さくする場合には、吸い込みにおける圧力損失が大きくなってしまうので、風速は速くなっても室内を循環する風量が減ってしまうことが判明した。したがって、吸い込み開口の開口面積を小さくする場合には、循環風量が減少するため捕集できる室内の塵の量も減ってしまう。さらに、風速が速くなることで吸い込み開口のごく近傍にある塵については効果的に吸い込めても、風速が速ければ捕集フィルタを塵が通過してしまう確率も高くなり、室内全体で考えたときに塵を十分に捕集できているとは言えなくなる。特に、電気集塵技術を用いる場合には、風速が速ければ帯電処理が不十分となって塵の捕集が十分に行われない恐れが高い。
【００１０】
このような検討の結果、本願発明の発明者は、以下のような各発明に想到している。
【００１１】
請求項１に係る空気清浄機は、室内の空気を吸い込み清浄化して室内へ吹き出す空気清浄機であって、送風機と、吸い込み開口と、移動部材と、制御部とを備えている。送風機は、空気を吸い込んで吹き出すために配備されている。吸い込み開口は、室内の空気を吸い込むための開口であり、その開口面積が可変である。移動部材は、移動して吸い込み開口の面積を変える。この移動部材は、手動で動くものであってもよいし、駆動装置によって自動的に動かされるものであってもよい。制御部は、送風機の出力を増減させる。また、制御部は、風量増加制御を行う。この風量増加制御では、吸い込み開口の面積の増加に合わせて送風機の出力を増やす。
【００１２】
ここでは、室内の花粉などの塵は、送風機の作動によって、空気清浄機の内部に吸い込まれて清浄化され、再び室内へと吹き出される。そして、制御部が風量増加制御を行うと、移動部材の移動により吸い込み開口の開口面積が大きくなり、且つ送風機の出力が大きくなって、室内から空気清浄機内に吸い込まれ吹き出される空気の風量が増加する。このように、吸い込み面積を増加させるとともに送風機の出力を上げて大幅に風量を増やすため、ここでは、サーキュレーション効果により空気清浄機で十分に塵や臭気を捕集できるようになる。
【００１３】
なお、移動部材の移動により吸い込み開口の開口面積を大きくしたときに送風機の出力を上げているが、開口面積の増加により吸い込み開口における圧力損失が小さくなっているため、運転音が抑えられる。すなわち、吸い込み開口の開口面積を大きくすることによって、吸い込み開口の面積を増加させない場合に送風機を最大出力で作動させたときと同等あるいは同等以下の運転音で運転することが可能となる。
【００１４】
また、送風機の出力が上がっても吸い込み開口の開口面積が大きくなっているため、風量は増加しても、風速はそれほど上がらない（あるいは下がる）。このため、風速増加制御によって空気清浄機による塵の捕集効率が下がるようなことも抑えられる。
【００１５】
請求項２に係る空気清浄機は、請求項１に記載の空気清浄機であって、移動部材の移動を検知する検知部をさらに備えている。そして、制御部は、風量増加制御において、検知部の検知結果に基づき送風機の出力を増やす。
【００１６】
ここでは、移動部材が移動して吸い込み開口の開口面積が大きくなったときには、それを検知部が検知して送風機の出力が増える。
【００１７】
請求項３に係る空気清浄機は、請求項１に記載の空気清浄機であって、駆動装置をさらに備えている。駆動装置は、所定の制御信号に基づき移動部材を移動させて、吸い込み開口の面積を増やす。制御部は、風量増加制御において、制御信号あるいは駆動装置の作動に基づき送風機の出力を増やす。
【００１８】
ここでは、駆動装置が移動部材を移動させて吸い込み開口の開口面積を大きくしたときには、それに基づき制御部が送風機の出力を増やしている。
【００１９】
なお、駆動装置は、動力によって移動部材を移動させる装置であり、手動で移動部材を移動させるための機構ではない。
【００２０】
請求項４に係る空気清浄機は、請求項１から３のいずれかに記載の空気清浄機であって、電気集塵部をさらに備えている。電気集塵部は、吸い込み開口から吸い込んだ空気に含まれる粒子を、帯電させてフィルタで捕集する。
【００２１】
ここでは、空気清浄機が、電気集塵部を使って空気中の粒子を捕集する空気の清浄化を少なくとも行う。電気集塵部では、空気中の粒子を帯電させることで粒子がフィルタに引っ掛かりやすくする。しかし、風速が速いと、空気中の粒子を十分に帯電させることができず、電気集塵部のフィルタによる粒子の捕集効率が低下することが想定される。
【００２２】
これに対し、本願発明では、送風機の出力が上がっても吸い込み開口の開口面積が大きくなるため、風量は増加しても、風速はそれほど上がらない（あるいは下がる）。このため、風速増加制御によって電気集塵部における空気中の粒子の捕集効率が下がることが抑えられる。一方、風量が増加するため、空気中の粒子を十分に捕集できるようになる。
【００２３】
請求項５に係る空気清浄機は、請求項１から４のいずれかに記載の空気清浄機であって、吸い込み開口のうち面積が可変である可変部分は、正面側に設けられる。
【００２４】
空気清浄機に対して使用者が操作等のアクセスを行うときには、通常は空気清浄機の正面側から空気清浄機に近づく。
【００２５】
したがって、空気清浄機の正面側の空間では、操作者が立ち止まったり方向転換したりすることで、操作者の衣服に付いた花粉等の塵が舞ったり床の塵が舞ったりする可能性が高い。
【００２６】
ここでは、そのような塵を、風量増加制御によって開口面積が拡がる吸い込み開口の正面側の可変部分から大量に吸い込むことができる。これにより、空気清浄機の正面側の空間という局所から効果的に塵を捕集することができる。
【００２７】
なお、操作者が空気清浄機の正面にきて風量増加制御を指示したときに「衣服を叩いて下さい」といった音声出力を行って故意に塵を空気清浄機の前で舞い上がらせるように誘導することも望ましい。
【００２８】
請求項６に係る空気清浄機は、請求項１から４のいずれかに記載の空気清浄機であって、吸い込み開口のうち面積が可変である可変部分は、下部に設けられる。
【００２９】
室内の塵は、床に滞留することが多い。これに鑑み、ここでは、吸い込み開口のうち面積が可変する可変部分を空気清浄機の下部に設け、風量増加制御において風量が増えたときにサーキュレーション効果によって床の塵を多く開口から吸い込めるようにしている。これにより、室内の塵を十分に捕集することができるようになる。
【００３０】
なお、吸い込み開口のうち面積が可変である可変部分は、空気清浄機の下部であれば、正面側に設けられていても側面側に設けられていてもよい。
【００３１】
請求項７に係る空気清浄機は、請求項１から６のいずれかに記載の空気清浄機であって、制御部は、吸い込み開口の面積の増加に合わせた風量増加制御において、吸い込み開口の面積を増加させない場合の送風機の最高出力又はそれ以上の出力で、送風機を作動させる。
【００３２】
ここでは、風量増加制御において吸い込み開口の面積を増加させない場合の送風機の最高出力で送風機を作動させても、吸い込み面積の増加により吸い込み時の圧力損失が小さくなるため、風量が増加しても運転音が抑えられる。また、風量増加制御において吸い込み開口の面積を増加させない場合の送風機の最高出力以上の出力で送風機を作動させても、吸い込み面積の増加により吸い込み時の圧力損失が小さくなるため、運転音をそれまでの最大運転音と同等のレベルに抑えることができる。
【００３３】
請求項８に係る空気清浄機は、請求項１から７のいずれかに記載の空気清浄機であって、制御部は、吸い込み開口の面積の増加に合わせた風量増加制御において、吸い込み開口の面積が縮小すると送風機の出力を元に戻す。
【００３４】
ここでは、吸い込み開口の面積が縮小したときに確実に送風機の出力が元に戻るため、吸い込み開口の面積が縮小して吸い込みの圧力損失が大きくなったにもかかわらず送風機の出力が高いままとなり運転音が大きくなったり過剰なエネルギー消費がかかってしまったりすることを防止できる。
【００３５】
請求項９に係る空気清浄機は、請求項１から７のいずれかに記載の空気清浄機であって、制御部は、吸い込み開口の面積の増加に合わせた風量増加制御において、風量増加制御の開始から所定時間が経過すると送風機の出力を元に戻す。
【００３６】
空気清浄機のユーザーは、大抵、常時自動運転を行っている。そして、常に空気清浄機を運転させているため、通常は室内がそれほど汚れておらず、空気清浄機が低運転音域で運転を行っている。これに対し、風量増加制御を行うと、風量の増加に伴い運転音（騒音）もある程度大きくなってしまうことが多い。したがって、風量増加制御を常時行っていると、室内の静寂を保てなくなることが考えられる。
【００３７】
これに鑑み、ここでは、風量増加制御の開始から所定時間が経過すると送風機の出力を元に戻し、風量増加制御の解除を操作者が忘れた場合にも、運転音が大きい状態が長く継続することが防止されるようにしている。
【００３８】
請求項１０に係る空気清浄機は、請求項１から９のいずれかに記載の空気清浄機であって、移動部材は、正面側に設けられ、前後に移動することで吸い込み開口の面積を変える。
【００３９】
通常、正面側から操作する必要があるため、空気清浄機は室内の適当な場所において、少なくとも正面側に大きな空間が確保される状態で載置される。一方、場合によっては、空気清浄機の背面側や側方には非常に小さな空間しか確保されないこともある。
【００４０】
このような空気清浄機の使用態様の現状に基づき、ここでは、移動部材を正面側に設け、その移動部材を前後に移動させて吸い込み開口の開口面積を変えている。したがって、移動部材が室内の壁などの干渉物にぶつかって移動できなかったり、吸い込み開口の開口面積が大きくなっても風量が増えなかったりする不具合が発生することが少なくなっている。
【００４１】
【発明の実施の形態】
［第１実施形態］
図１から図５に、本発明の第１実施形態に係る空気清浄機１を示す。空気清浄機１は、室内の空気を清浄に保ち室内の快適性を向上させるために、室内の床などに載置される。具体的には、空気清浄機１によって、室内空気に含まれる塵（ハウスダスト、ペットの毛、花粉、ダニの糞や死骸、カビ胞子など）や臭気（タバコの煙、雑菌、ウィルス、自動車などの排ガス、ペットの臭い、カビ臭、タバコの臭いなど）が除去される。
【００４２】
＜空気清浄機の構成＞
空気清浄機１は、主として、本体ケーシング１１と、正面パネル２１と、蓋パネル２２と、本体ケーシング１１内の空気清浄機構と、送風機３０と、制御装置５０（図５参照）とから構成されている。本体ケーシング１１内の空気清浄機構は、図４に示すように、プレフィルタ４１と、プラズマイオン化装置４２と、静電フィルタ４３および酸化チタンフィルタ４４から成る第１光触媒フィルタ４８と、第２光触媒フィルタ４５と、インバータランプ４７と、第３光触媒フィルタ４６とから構成されている。
【００４３】
〔本体ケーシング〕
本体ケーシング１１には、吹き出し口１２と、上面吸い込み開口１３と、側面吸い込み開口１４とが形成されている。また、本体ケーシング１１の正面側は大きく開口しており、その開口が正面パネル２１によって覆われる。
【００４４】
吹き出し口１２は、本体ケーシング１１の上面の背面寄りの部分に形成されている。吹き出し口１２は、空気清浄機構により清浄した空気を上方に向けて吹き出すために設けられている開口である。上面吸い込み開口１３および側面吸い込み開口１４は、空気清浄機構によって清浄する室内空気を本体ケーシング１１内に吸い込むための開口である。上面吸い込み開口１３は、本体ケーシング１１の上面の正面寄りの部分に形成されている。上面吸い込み開口１３の横方向の長さは、正面パネル２１の横方向の長さと略同一である。側面吸い込み開口１４は、本体ケーシング１１の左右の側面の正面寄りの部分にそれぞれ形成されている一対の開口である。
【００４５】
〔正面パネルおよび蓋パネル〕
正面パネル２１は、本体ケーシング１１の正面開口を覆うように本体ケーシング１１に装着される。この正面パネル２１は、正面吸い込み孔２１ａを有する。正面吸い込み孔２１ａは、正面パネル２１の略中央部に設けられ室内空気を本体ケーシング１１内に吸い込むための開口であるが、正面視において蓋パネル２２によって覆われて見えない状態となる（図１参照）。すなわち、正面視において蓋パネル２２の面積は正面吸い込み孔２１ａの面積よりも大きい。但し、蓋パネル２２と正面パネル２１との間には常に前後方向（図２の左右方向）の隙間１５が確保されており、この隙間１５を通って室内空気が正面側から本体ケーシング１１内へと吸い込まれることになる。すなわち、隙間１５は、室内空気を本体ケーシング１１内へと吸い込ませるための吸い込み開口となっている。吸い込み開口の役割を果たす隙間１５の面積は、可変であり、下記のように蓋パネル２２が移動することにより変化する。
【００４６】
蓋パネル２２は、図３に示すように、前後に延びる水平軸２２ａを有しており、その水平軸２２ａの背面寄りの部分には平歯車（ラック）２２ｂが形成されている。この平歯車２２ｂに噛み合うピニオンギア２８が前後動モータ２６（図５参照）によって回転することで、蓋パネル２２は、前後に移動して、図２に示す状態から図６に示す状態へと移行したり、図６に示す状態から図２に示す状態へと移行したりする。前後動モータ２６は、図示しない減速機構を介してピニオンギア２８を回動させる。
【００４７】
また、正面パネル２１の下部には、図１に示すように、本体ケーシング１１内に配備される表示ＬＥＤ６５（図５参照）を正面から目視できるように複数の表示用小孔２１ｂが形成されている。さらに、正面パネル２１の下部には、ＯＮ／ＯＦＦなどを行うための操作ボタン２５やスピーカ６６（図５参照）からの音を出すための小孔２１ｃが設けられている。
【００４８】
〔空気清浄機構〕
空気清浄機構は、上述のように複数のフィルタなどから構成され、本体ケーシング１１の内部に収められている。
【００４９】
図４に示すように、一番正面側には、比較的大きな埃やペットの毛などを除去するためのプレフィルタ４１が配置されている。ここでは、プレフィルタ４１として、合成樹脂繊維などの防塵ネットを採用している。
【００５０】
プレフィルタ４１の後方には、プラズマイオン化装置４２が配置されている。このプラズマイオン化装置４２は、プレフィルタ４１を通過してきた煙、粉塵、花粉、その他の汚れの粒子に強い電荷をかけて帯電させるものであり、後述するフィルタにおける粒子の捕集効率を高める。
【００５１】
プラズマイオン化装置４２の後方には、第１光触媒フィルタ４８が配置されている。第１光触媒フィルタ４８は、プラズマイオン化装置４２で帯電させられた粒子を吸着するための静電フィルタ４３と、光触媒作用を有する酸化チタンを含む酸化チタンフィルタ４４とが積層されたものである。この第１光触媒フィルタ４８は、複数回分の長さを巻き込んだロール状とされており、使用中の面が汚れた場合に引き出して汚れた部分をカットするような構成となっている。
【００５２】
第１光触媒フィルタ４８の後方には、酸化チタンを含有する材料で構成される第２光触媒フィルタ４５および第３光触媒フィルタ４６が配置されている。
【００５３】
第２光触媒フィルタ４５および第３光触媒フィルタ４６の中間には、インバータランプ４７が配置されている。このインバータランプ４７は、第１光触媒フィルタ４８、第２光触媒フィルタ４５、および第３光触媒フィルタ４６に紫外線を照射するものであり、各光触媒フィルタの光触媒作用を活性化させる。
【００５４】
〔送風機〕
本体ケーシング１１内の空気清浄機構の後方空間には、図４に示すように、送風機３０が配備される。送風機３０は、主として、ファンモータ３１と、ファンモータ３１によって回転駆動される遠心ファン３２とから構成されている。ファンモータ３１は、インバータ回路により周波数制御されるインバータモータである。
【００５５】
〔制御装置〕
制御装置５０は、ＣＰＵ５１、プログラムや各種パラメータが格納されるＲＯＭ５２、処理中の変数などを一時的に格納するＲＡＭ５３、タイマー５４などから構成されており、各種センサ６１，６２，６３や操作ボタン２５、リモコン２９などから信号を受信して送風機３０のファンモータ３１や蓋パネル２２を動かす前後動モータ２６などの駆動を制御する。ＣＰＵ５１では、ＲＯＭ５２から読み出したプログラムを実行する。
【００５６】
図５に示すように、制御装置５０には、温度センサ６１、湿度センサ６２、ダストセンサ６３などの各種センサ類が接続されており、各センサの検出信号が入力される。ダストセンサ６３は、吸い込んだ空気中に光を照射し、空気中に含まれる煙、埃、花粉、その他の粒子といった塵によって乱射されて受光素子に到達した光量を検出して、塵の粒子濃度を測定することができる。
【００５７】
さらに、制御装置５０には、表示ＬＥＤ６５やスピーカ６６が接続されている。表示ＬＥＤ６５は、運転モード、各種センサによるモニタ情報、タイマー情報、メンテナンス情報などを表示し、使用者などが正面側から正面パネル２１の表示用小孔２１ｂを介して目視できるようになっている。スピーカ６６は、正面パネル２１の小孔２１ｃの裏側に配置されており、使用者に対して音声でメッセージを伝える。
【００５８】
＜空気清浄機の動作＞
この空気清浄機１では、使用者が操作ボタン２５やリモコン２９から設定を行うことにより、あるいは各種センサの検出結果などに応じて自動的に、運転モードが切り替わる。制御装置５０のＣＰＵ５１が実行するプログラムでは、しずかモード９１、弱モード９２、標準モード９３、強モード９４、パワーモード９５、スーパーハイパワーモード９６の６つのモードを行うことができる。しずかモード９１では吸い込んで吹き出す風量が０．９ｍ３／分、弱モード９２では風量が２．１ｍ３／分、標準モード９３では風量が３．５ｍ３／分、強モード９４では風量が４．５ｍ３／分、パワーモード９５では風量が６．５ｍ３／分、スーパーハイパワーモード９６では風量が８．０ｍ３／分である。なお、スーパーハイパワーモード９６は、風量が突出していることからもわかるように運転音が大きくなるため、各種センサの検出結果などに応じて自動的に切り替わることはなく、使用者が操作ボタン２５やリモコン２９から設定を行ったときにだけ実行される。但し、後述するようにスーパーハイパワーモード９６では吸い込み開口の面積を増やして風量を確保するため、パワーモード９５の運転音とスーパーハイパワーモード９６の運転音とは概ね同じとなる。
【００５９】
制御装置５０は、しずかモード９１、弱モード９２、標準モード９３、強モード９４、パワーモード９５と風量が多いモードになるに従って、送風機３０の出力を上昇させる。但し、これらの５つのモードにおいては、前後動モータ２６は作動させず、蓋パネル２２の前後位置は図２に示す基本状態のままである。これらの各モードが実行されると、図１の矢印Ｆ１で示すように側面吸い込み開口１４から、図１および図２の矢印Ｆ２で示すように上面吸い込み開口１３から、図１および図２の矢印Ｆ３で示すように蓋パネル２２と正面パネル２１との間の隙間１５および正面吸い込み孔２１ａから、それぞれ室内空気が本体ケーシング１１内に吸い込まれ、吹き出し口１２から上方に向けて図１および図２の矢印Ｆ９で示すように清浄化された空気が吹き出される。
【００６０】
そして、制御装置５０は、操作ボタン２５やリモコン２９からの制御信号を受けてスーパーハイパワーモード９６を実行するときには、パワーモード９５のときよりも更に送風機３０の出力を上昇させるとともに、前後動モータ２６を作動させて、蓋パネル２２の前後位置を図６に示す開口面積増加状態に移行させる。この開口面積増加状態になると、室内空気を本体ケーシング１１内へと吸い込ませるための吸い込み開口である蓋パネル２２と正面パネル２１と間の前後方向の隙間１５が拡がり、このように正面側の吸い込み開口が拡がることで、空気清浄機１の正面側から本体ケーシング１１内に吸い込まれる室内空気の量が大幅に増加する。
【００６１】
また、制御装置５０は、正面パネル２１下部の操作ボタン２５からの制御信号を受けてスーパーハイパワーモード９６を実行するときには、スピーカ６６から「衣服を叩いて花粉などの埃を払い落として下さい」というメッセージを音声出力させる。
【００６２】
このようなスーパーハイパワーモード９６は、操作ボタン２５やリモコン２９からの制御信号を受けて、あるいは、タイマー５４により一定時間（例えば５分〜１０分）の経過を確認して自動的に、終了する。したがって、少なくともスーパーハイパワーモード９６の開始から一定時間が経過すれば、送風機３０の出力が下がる。スーパーハイパワーモード９６の終了後は、それまでのモードに戻る。
【００６３】
＜空気清浄機の特徴＞
（１）
上述の特許文献１（特開２０００−１４６２３７号公報）や特許文献２（特開２００２−３２３２４３号公報）の空気清浄機では、吸い込み開口の開口面積を小さくすることにより、吸い込みにおける圧力損失が大きくなる。すると、風速は速くなっても室内を循環する風量が減ってしまい、捕集できる室内の塵の量も減ってしまう。さらに、風速が速くなることで吸い込み開口のごく近傍にある塵については効果的に吸い込めても、風速が速ければ塵がフィルタを通過してしまう確率も高くなり、室内全体で考えたときに塵を十分に捕集できているとは言えない。
【００６４】
これに対し、空気清浄機１では、制御装置５０がスーパーハイパワーモード９６を実行すると、蓋パネル２２の移動により吸い込み開口（蓋パネル２２と正面パネル２１と間の前後方向の隙間１５）の開口面積が大きくなり、且つ送風機３０の出力が大きくなって、室内から空気清浄機１の本体ケーシング１１内に吸い込まれ吹き出される空気の風量が増加する。このように、吸い込み面積を増加させるとともに送風機３０の出力を上げて大幅に風量を増やすため、ここでは、サーキュレーション効果によって空気清浄機１が十分に塵や臭気を捕集できるようになっている。
【００６５】
（２）
空気清浄機１のスーパーハイパワーモード９６では、前後動モータ２６を作動させて蓋パネル２２の前後位置を図６に示す開口面積増加状態に移行させたとき、それに基づき制御装置５０が送風機３０の出力を増やしている。
【００６６】
（３）
空気清浄機１では、プラズマイオン化装置４２で空気中の塵の粒子を帯電し、それを静電フィルタ４３で吸着して捕集する。このような電気集塵を利用した空気清浄機１においては、本体ケーシング１１内を流れる空気の風速が速いと、空気中の粒子を十分に帯電させることができず、静電フィルタ４３による粒子の捕集効率が低下してしまう。
【００６７】
しかしながら、空気清浄機１のスーパーハイパワーモード９６では、送風機３０の出力が上がっても、それと同時に吸い込み開口（蓋パネル２２と正面パネル２１と間の前後方向の隙間１５）が拡がるため、風量は増加しても風速はそれほど上がらない。このため、スーパーハイパワーモード９６の実行によって静電フィルタ４３の粒子の捕集効率が下がることが抑えられている。一方、風量が増加するため、十分に室内空気中の粒子（塵）を捕集できるようになる。
【００６８】
（４）
空気清浄機１に対して使用者が操作ボタン２５へのアクセスを行うときには、正面側から空気清浄機１に近づくのが普通である。
【００６９】
したがって、空気清浄機１の正面側の空間では、使用者が立ち止まったり方向転換したりすることで、使用者の衣服に付いた花粉等の塵が舞ったり床の塵が舞い上がったりする可能性が高い。
【００７０】
この空気清浄機１では、そのような塵を、スーパーハイパワーモード９６によって拡がる蓋パネル２２と正面パネル２１と間の前後方向の隙間１５（吸い込み開口）から大量に本体ケーシング１１内に吸い込むことができるようになっている。このため、スーパーハイパワーモード９６を実行させたときに、サーキュレーション効果によって室内全体の空気中の塵を多く捕集できるとともに、空気清浄機１の正面側の空間という局所から効果的に塵を捕集することができる。
【００７１】
さらに、この空気清浄機１では、操作ボタン２５からの制御信号を受けてスーパーハイパワーモード９６を実行するときには、スピーカ６６から「衣服を叩いて花粉などの埃を払い落として下さい」というメッセージを音声出力する。これにより、使用者が故意に空気清浄機１の前で塵を舞い上がらせるような動作をすることが期待でき、それらの塵をスーパーハイパワーモード９６において拡がった蓋パネル２２と正面パネル２１と間の前後方向の隙間１５から吸い込んで捕集することができる。
【００７２】
（５）
空気清浄機１は、普通、正面側から操作する必要があるため、室内の適当な場所に、少なくとも正面側に大きな空間が確保される状態で載置される。一方、場合によっては、空気清浄機１の背面側や側方には非常に小さな空間しか確保されないこともある。
【００７３】
このような空気清浄機１の使用態様の現状に基づき、ここでは、蓋パネル２２を正面側に設け、その蓋パネル２２を前後に移動させて吸い込み開口（蓋パネル２２と正面パネル２１と間の前後方向の隙間１５）の開口面積を変えている。したがって、蓋パネル２２が室内の壁などの干渉物にぶつかって移動できなかったり、吸い込み開口の開口面積が大きくなっても風量が増えなかったりする不具合が発生することが殆どない。
【００７４】
（６）
スーパーハイパワーモード９６を実行すると、風量の増加に伴い運転音もある程度大きくなってしまう。したがって、スーパーハイパワーモード９６を常時実行していると、室内の静寂を保てなくなるというデメリットが存在する。
【００７５】
これに鑑み、空気清浄機１の制御装置５０は、少なくともスーパーハイパワーモード９６の開始から一定時間が経過すれば、スーパーハイパワーモード９６を終了させて、送風機３０の出力を下げる。これにより、スーパーハイパワーモード９６の解除を使用者が忘れた場合にも、運転音が大きい状態が長く継続してしまうことが回避される。
【００７６】
＜第１実施形態の変形例＞
上記第１実施形態では、操作ボタン２５やリモコン２９からの制御信号を受けてスーパーハイパワーモード９６を実行するときに、制御装置５０は、制御信号に基づいて送風機３０の出力を上昇させるとともに、前後動モータ２６を作動させて蓋パネル２２の前後位置を図６に示す開口面積増加状態に移行させている。これに代えて、制御装置５０が、制御信号に基づいて前後動モータ２６を作動させて蓋パネル２２の前後位置を図６に示す開口面積増加状態に移行させるとともに、近接スイッチ等のセンサによって実際に蓋パネル２２の前後位置が図６に示す開口面積増加状態に移行したことを確認した後に送風機３０の出力を上昇させるように制御を行うことも考えられる。
【００７７】
［第２実施形態］
図８から図９に、本発明の第２実施形態に係る空気清浄機１０１を示す。空気清浄機１０１は、室内の空気を清浄に保ち室内の快適性を向上させるために、室内の床面などに載置される。具体的には、空気清浄機１０１によって、室内空気に含まれる塵（ハウスダスト、ペットの毛、花粉、ダニの糞や死骸、カビ胞子など）や臭気（タバコの煙、雑菌、ウィルス、自動車などの排ガス、ペットの臭い、カビ臭、タバコの臭いなど）が除去される。
【００７８】
＜空気清浄機の構成＞
空気清浄機１０１は、主として、本体ケーシング１１１と、正面パネル１２１と、蓋パネル１２２と、揺動パネル１２３と、本体ケーシング１１１内の空気清浄機構（図４参照）と、送風機３０（図４参照）と、制御装置１５０（図９参照）とから構成されている。本体ケーシング１１１内の空気清浄機構は、第１実施形態のものと同様である。
【００７９】
〔本体ケーシング〕
本体ケーシング１１１には、吹き出し口１１２と、上面吸い込み開口１１３と、側面吸い込み開口１１４とが形成されている。また、本体ケーシング１１１の正面側は大きく開口しており、その開口が正面パネル１２１によって覆われる。
【００８０】
吹き出し口１１２は、本体ケーシング１１１の上面の背面寄りの部分に形成されている。吹き出し口１１２は、空気清浄機構により清浄した空気を上方に向けて吹き出すために設けられている開口である。上面吸い込み開口１１３および側面吸い込み開口１１４は、空気清浄機構によって清浄する室内空気を本体ケーシング１１１内に吸い込むための開口である。上面吸い込み開口１１３は、本体ケーシング１１の上面の正面寄りの部分に形成されている。側面吸い込み開口１１４は、本体ケーシング１１１の左右の側面の正面寄りの部分にそれぞれ形成されている一対の開口である。
【００８１】
〔正面パネル、蓋パネル、および揺動パネル〕
正面パネル１２１は、本体ケーシング１１１の正面開口の上部約３分の２を覆うように本体ケーシング１１１に装着される。この正面パネル１２１は、正面吸い込み孔１２１ａ（図７参照）を有する。正面吸い込み孔１２１ａは、室内空気を本体ケーシング１１１内に吸い込むための開口である。正面吸い込み孔１２１ａは、正面視において蓋パネル１２２によって概ね覆われている（図７参照）。蓋パネル１２２と正面パネル１２１との間には常に前後方向（図８の左右方向）の隙間１１５が確保されており、この隙間１１５を通って室内空気が正面から本体ケーシング１１１内へと吸い込まれる。
【００８２】
揺動パネル１２３は、本体ケーシング１１１の正面開口の下部約３分の１を覆うように本体ケーシング１１１に揺動可能に支持される。揺動パネル１２３は、マグネットラッチ式であり、上端の軸１２３ａが正面視の左右（図７の左右）両方において本体ケーシング１１１にピン支持されており、下部を手や足で押すことでマグネットによる保持が解除され、図示しないバネなどの力によって軸１２３ａを中心に手前に旋回して図１０に示す開いた状態となる。この開いた状態においては、正面視の左右両方に設けられるスライド部材１２３ｂが揺動パネル１２３のぐらつきを抑える。揺動パネル１２３が開いた状態において、揺動パネル１２３の下部を本体ケーシング１１１に当たるまで手や足で押し込むと、再びマグネットにより揺動パネル１２３が閉まった状態（図７および図８の実線で示す状態）に戻る。
【００８３】
このように、揺動パネル１２３は、図７および図８の実線で示すように閉じている基本状態と、図１０に示すように開いている状態とが切り替わるパネルであり、開いた状態において本体ケーシング１１１から離れて本体ケーシング１１１との間に開口１１６を出現させる。この揺動パネル１２３が開いた状態においては、上面吸い込み開口１１３、側面吸い込み開口１１４、および隙間１１５に加えて、新たな開口１１６からも室内空気が本体ケーシング１１１内に吸い込まれるようになる。開口１１６から吸い込まれた空気は、本体ケーシング１１１の正面開口を通り、空気清浄機構へと流れる。
【００８４】
また、正面パネル１２１の上部には、本体ケーシング１１１内に配備される表示ＬＥＤ６５（図９参照）を正面から目視できるように複数の表示用小孔１２１ｂが形成されている。さらに、正面パネル１２１の上部には、ＯＮ／ＯＦＦなどを行うための操作ボタン１２５やスピーカ６６（図９参照）からの音を出すための小孔１２１ｃが設けられている。
【００８５】
〔空気清浄機構、送風機〕
空気清浄機構および送風機３０については、第１実施形態のものと同じであるため説明を省略する。
【００８６】
〔制御装置〕
制御装置１５０は、ＣＰＵ５１、プログラムや各種パラメータが格納されるＲＯＭ５２、処理中の変数などを一時的に格納するＲＡＭ５３、タイマー５４などから構成されており、各種センサ６１，６２，６３や操作ボタン１２５、リモコン２９などから信号を受信して送風機３０のファンモータ３１の動きを制御する。ＣＰＵ５１では、ＲＯＭ５２から読み出したプログラムを実行する。
【００８７】
図９に示すように、制御装置１５０には、温度センサ６１、湿度センサ６２、ダストセンサ６３、揺動パネル開閉センサ１６９などの各種センサ類が接続されており、各センサの検出信号が入力される。ダストセンサ６３は、吸い込んだ空気中に光を照射し、空気中に含まれる煙、埃、花粉、その他の粒子といった塵によって乱射されて受光素子に到達した光量を検出して、塵の粒子濃度を測定することができる。揺動パネル開閉センサ１６９は、図７や図８においては図示を省略しているが、揺動パネル１２３が図８の実線で示すように閉まった状態であるか、それとも揺動パネル１２３が図１０に示すように開いた状態であるかを検知するセンサである。揺動パネル開閉センサ１６９としては、例えば近接センサを使うことができる。
【００８８】
さらに、制御装置１５０には、表示ＬＥＤ６５やスピーカ６６が接続されている。表示ＬＥＤ６５は、運転モード、各種センサによるモニタ情報、タイマー情報、メンテナンス情報などを表示し、使用者などが正面側から正面パネル１２１の表示用小孔１２１ｂを介して目視できるようになっている。スピーカ６６は、正面パネル１２１の小孔１２１ｃの裏側に配置されており、使用者に対して音声でメッセージを伝える。
【００８９】
＜空気清浄機の動作＞
この空気清浄機１０１では、使用者が操作ボタン１２５やリモコン２９から設定を行うことにより、あるいは各種センサの検出結果などに応じて自動的に、運転モード１９１〜１９５が切り替わる。制御装置１５０のＣＰＵ５１が実行するプログラムでは、しずかモード１９１、弱モード１９２、標準モード１９３、強モード１９４、パワーモード１９５、スーパーハイパワーモード１９６の６つのモードを行うことができる。しずかモード１９１では吸い込んで吹き出す風量が０．９ｍ３／分、弱モード１９２では風量が２．１ｍ３／分、標準モード１９３では風量が３．５ｍ３／分、強モード１９４では風量が４．５ｍ３／分、パワーモード１９５では風量が６．５ｍ３／分、スーパーハイパワーモード１９６では風量が８．０ｍ３／分である。
【００９０】
制御装置１５０は、しずかモード１９１、弱モード１９２、標準モード１９３、強モード１９４、パワーモード１９５と風量が多いモードになるに従って、送風機３０の出力を上昇させる。但し、これらの４つのモードにおいては、揺動パネル１２３が閉じられて図８の実線で示す状態となっている。これらの各モードが実行されると、室内空気は、図７の矢印Ｆ１で示すように側面吸い込み開口１１４から、図７および図８の矢印Ｆ２で示すように上面吸い込み開口１１３から、図７および図８の矢印Ｆ３で示すように蓋パネル１２２と正面パネル１２１との間の隙間１１５および正面吸い込み孔１２１ａから、それぞれ室内空気が本体ケーシング１１１内に吸い込まれ、吹き出し口１１２から上方に向けて図７および図８の矢印Ｆ９で示すように清浄化された空気が吹き出される。
【００９１】
そして、制御装置１５０は、揺動パネル１２３の下部が押されて揺動パネル１２３が開いて図１０に示す状態となると、それを揺動パネル開閉センサ１６９により検知して、スーパーハイパワーモード１９６を実行する。逆に言えば、操作ボタン１２５やリモコン２９からスーパーハイパワーモード１９６を実行させることはできない。スーパーハイパワーモード１９６では、揺動パネル１２３が図１０に示すように開いた状態となっており、新たに出現した揺動パネル１２３と本体ケーシング１１１との間の開口１１６からも室内空気が本体ケーシング１１１内に吸い込まれるようになることを受けて、パワーモード１９５のときよりも更に送風機３０の出力を上昇させることにしている。新たに出現した開口１１６からも室内空気が本体ケーシング１１１内に吸い込まれるようになること、および送風機３０の出力が上がることで、スーパーハイパワーモード１９６では、空気清浄機１の正面側（特に正面側下部空間）から本体ケーシング１１１内に大量の室内空気が吸い込まれるようになる。
【００９２】
また、制御装置１５０は、スーパーハイパワーモード１９６の実行が揺動パネル１２３の下部が使用者により押されたことに起因するものであることに鑑みて、使用者が空気清浄機１の正面側に居ると仮定し、スピーカ６６から「衣服を叩いて花粉などの埃を払い落として下さい」というメッセージを音声出力させる。
【００９３】
このようなスーパーハイパワーモード１９６は、使用者によって揺動パネル１２３が手動で閉められたときに、あるいは、タイマー５４により一定時間（例えば５分〜１０分）の経過を確認して自動的に、終了する。すなわち、少なくともスーパーハイパワーモード１９６の開始から一定時間が経過すれば、送風機３０の出力が下がる。スーパーハイパワーモード１９６の終了後は、それまでのモードに戻る。
【００９４】
＜空気清浄機の特徴＞
以下、第１実施形態の空気清浄機１の特徴と重複しない第２実施形態の空気清浄機１０１の特徴について述べる。
【００９５】
（１）
空気清浄機１０１では、使用者が手や足で揺動パネル１２３の下部を押して揺動パネル１２３を図１０に示す開いた状態にすると、それが揺動パネル開閉センサ１６９により検知され、制御装置１５０がスーパーハイパワーモード１９６を実行して送風機３０の出力を上昇させる。したがって、揺動パネル１２３が開くことで開口１１６が出現して吸い込み面積が大きくなったにもかかわらず送風機３０の出力が増えず風量があまり増加しないという不具合がなくなっている。すなわち、揺動パネル１２３を開かない場合よりも確実に室内空気の循環量が増加し、サーキュレーション効果によって空気清浄機１０１が十分に塵を捕集できるようになっている。
【００９６】
（２）
室内の塵は、床に滞留することが多い。これに鑑み、空気清浄機１０１では、スーパーハイパワーモード１９６により新たに出現する開口１１６が床ＦＬ（図１０参照）の近くに位置するように設計を行っている。
【００９７】
したがって、スーパーハイパワーモード１９６により風量を増やしたときに、サーキュレーション効果によって主として床ＦＬに溜まっている塵が多く吸い込まれて捕集されるようになる。これにより、室内の塵を効果的に捕集することができるようになっている。
【００９８】
（３）
空気清浄機１０１では、使用者によって揺動パネル１２３が手動で閉められたときに、それを揺動パネル開閉センサ１６９により検知して、制御装置１５０がスーパーハイパワーモード１９６を終了させて送風機３０の出力を落とす。このように、揺動パネル１２３が閉められて開口１１６がなくなり（開口１１６による吸い込み開口面積が０になり）空気清浄機１の吸い込み開口の面積が縮小したときに、確実に送風機３０の出力が元に戻るため、吸い込み開口の面積が縮小して吸い込みの圧力損失が大きくなったにもかかわらず送風機３０の出力が高いままとなり運転音が大きくなったり過剰な電気代がかかったりするが防止できている。
【００９９】
＜第２実施形態の変形例＞
（Ａ）
上記第２実施形態では、揺動パネル１２３を正面に配置して新たな開口１１６が正面下部に出現するようにしているが、同様の揺動パネルを側面下部に設けることも考えられる。
【０１００】
（Ｂ）
上記第２実施形態では、揺動パネル１２３を手動で開けたり閉めたりする構成としているが、これに代えて更にモータなどを組み込んで揺動パネル１２３が自動でも開閉するような構成とすることもできる。例えば、コンパクトディスクプレーヤーなどでよく用いられている機構を使い、手動でも開閉するとともにリモコン２９からのスーパーハイパワーモード１９６の選択指令でも揺動パネル１２３が自動的に開閉するように設計を行うことが考えられる。
【０１０１】
【発明の効果】
請求項１に係る空気清浄機では、制御部が風量増加制御を行うと、移動部材の移動により吸い込み開口の開口面積が大きくなり、且つ送風機の出力が大きくなって、室内から空気清浄機内に吸い込まれ吹き出される空気の風量が増加する。このように、吸い込み面積を増加させるとともに送風機の出力を上げて大幅に風量を増やすため、ここでは、サーキュレーション効果により空気清浄機で十分に塵や臭気を捕集できるようになる。なお、移動部材の移動により吸い込み開口の開口面積を大きくしたときに送風機の出力を上げているが、開口面積の増加により吸い込み開口における圧力損失が小さくなっているため、送風機の出力を上げても運転音が抑えられる。また、送風機の出力が上がっても吸い込み開口の開口面積が大きくなっているため、風量は増加しても、風速はそれほど上がらず、風速増加制御によって空気清浄機による塵の捕集効率が下がるようなことも抑えられる。
【０１０２】
請求項２に係る空気清浄機では、移動部材が移動して吸い込み開口の開口面積が大きくなったときには、それを検知部が検知して送風機の出力が増える。
【０１０３】
請求項３に係る空気清浄機では、駆動装置が移動部材を移動させて吸い込み開口の開口面積を大きくしたときには、それに基づき制御部が送風機の出力を増やしている。
【０１０４】
請求項４に係る空気清浄機では、送風機の出力が上がっても吸い込み開口の開口面積が大きくなるため、風量は増加しても、風速はそれほど上がらない。このため、風速増加制御によって電気集塵部における空気中の粒子の捕集効率が下がることが抑えられる。一方、風量が増加するため、空気中の粒子を十分に捕集できるようになる。
【０１０５】
請求項５に係る空気清浄機では、空気清浄機の正面側の空間で、操作者が立ち止まったり方向転換したりすることで舞う塵を、風量増加制御によって開口面積が拡がる吸い込み開口の正面の可変部分から大量に吸い込むことができる。これにより、空気清浄機の正面側の空間という局所から効果的に塵を捕集することができる。
【０１０６】
請求項６に係る空気清浄機では、吸い込み開口のうち面積が可変する可変部分を空気清浄機の下部に設け、風量増加制御において風量が増えたときにサーキュレーション効果によって床の塵を多く吸い込み開口から吸い込めるようにしている。これにより、室内の塵を十分に捕集することができるようになる。
【０１０７】
請求項７に係る空気清浄機では、風量増加制御において吸い込み開口の面積を増加させない場合の送風機の最高出力で送風機を作動させても、吸い込み面積の増加により吸い込み時の圧力損失が小さくなるため、送風機の回転数が低下し、運転音が抑えられる。また、風量増加制御において吸い込み開口の面積を増加させない場合の送風機の最高出力以上の出力で送風機を作動させても、吸い込み面積の増加により吸い込み時の圧力損失が小さくなるため、運転音を吸い込み開口の面積を増加させないときの送風機の最大出力時と同等のレベルに抑えることができる。
【０１０８】
請求項８に係る空気清浄機では、吸い込み開口の面積が縮小したときに確実に送風機の出力が元に戻るため、吸い込み開口の面積が縮小して吸い込みの圧力損失が大きくなったにもかかわらず送風機の出力が高いままとなり運転音が大きくなったり過剰なエネルギー消費がかかってしまったりすることを防止できる。
【０１０９】
請求項９に係る空気清浄機では、風量増加制御の開始から所定時間が経過すると送風機の出力を元に戻すため、風量増加制御の解除を操作者が忘れた場合にも、運転音が大きい状態が長く継続することが防止できる。
【０１１０】
請求項１０に係る空気清浄機では、移動部材を正面に設け、その移動部材を前後に移動させて吸い込み開口の開口面積を変えている。したがって、移動部材が室内の壁などの干渉物にぶつかって移動できなかったり、吸い込み開口の開口面積が大きくなっても風量が増えなかったりする不具合が発生することが少なくなる。
【図面の簡単な説明】
【図１】第１実施形態に係る空気清浄機の正面図。
【図２】空気清浄機の側面図。
【図３】空気清浄機の側面一部断面図。
【図４】空気清浄機構の分解斜視概略図。
【図５】空気清浄機の制御ブロック図。
【図６】空気清浄機の蓋パネルが開いた状態を示す側面図。
【図７】第２実施形態に係る空気清浄機の正面図。
【図８】空気清浄機の側面図。
【図９】空気清浄機の制御ブロック図。
【図１０】空気清浄機の揺動パネルが開いた状態を示す側面図。
【符号の説明】
１    空気清浄機
１３    上面吸い込み開口
１４    側面吸い込み開口
１５    蓋パネルと正面パネルとの前後方向の隙間（吸い込み開口）
２２    蓋パネル（移動部材）
３０    送風機
３１    ファンモータ
４２    プラズマイオン化装置（電気集塵部）
４３    静電フィルタ（電気集塵部）
５０    制御装置（制御部）
９６    スーパーハイパワーモード
１１３    上面吸い込み開口
１１４    側面吸い込み開口
１１５    蓋パネルと正面パネルとの前後方向の隙間
１１６    本体ケーシングと揺動パネルとの間の開口（吸い込み開口）
１２３    揺動パネル（移動部材）
１５０    制御装置（制御部）
１６９    揺動パネル開閉センサ（検知部）
１９６    スーパーハイパワーモード
【図１】
2005016841.tif 000003
【図２】
2005016841.tif 000004
【図３】
2005016841.tif 000005
【図４】
2005016841.tif 000006
【図５】
2005016841.tif 000007
【図６】
2005016841.tif 000008
【図７】
2005016841.tif 000009
【図８】
2005016841.tif 000010
【図９】
2005016841.tif 000011
【図１０】
2005016841.tif 000012